(57)【要約】【課題】固定具を外観上に露出させることなく、簡便かつ強固に固定可能な外観意匠性に優れ、また壁面からの出幅寸法を変更可能とする利便性にも優れ、さらにまた、照明装置等を手摺に配設する場合に、その電気配線の施工を容易に行うことのできる手摺構造を提供する。【解決手段】垂直部（１１）と突出部（１２）とからなる断面Ｌ字型の台座部材（１０）の垂直部（１１）が固定具Ａ（４１）によって壁面（３０）に固定され、この固定具Ａ（４１）を被覆する手摺部材（２０）が、台座部材突出部（１２）の下方から刺入された固定具Ｂ（４２）によって台座部材突出部（１２）に固定されている構造とする。【選択図】      図１
2004285788.tif 000002
【特許請求の範囲】
【請求項１】
垂直部と突出部とからなる断面Ｌ字型の台座部材の垂直部が固定具Ａによって壁面に固定され、この固定具Ａを被覆する手摺部材が、台座部材突出部の下方から刺入された固定具Ｂによって台座部材突出部に固定されていることを特徴とする手摺構造。
【請求項２】
台座部材の垂直部前面の切欠部に、手摺部材の終端部が嵌入している請求項１の手摺構造。
【請求項３】
台座部材の突起部上面と、この突起部上面に対する手摺部材の当接面のいずれか一方または両方に切欠溝を有する請求項１または２の手摺構造。
【発明の詳細な説明】
【０００１】
【発明の属する技術分野】
この出願の発明は、室内外の壁面や廊下、階段等の壁面に取り付けられる手摺構造に関するものである。さらに詳しくは、この出願の発明は、意匠性および利便性等が向上した新しい手摺構造に関するものである。
【０００２】
【従来の技術】
歩行の補助、あるいは歩行休憩時の肘掛け用などとして、室内外の壁面や廊下、階段等には、手摺が設けられている。
【０００３】
たとえば、図５に例示したように、手摺部材（８１）を直接、ビス（８２）等の固定具によって壁面に取り付けた手摺（８０）が広く使用されている。
【０００４】
しかしながら、この図５に例示した手摺の場合には、ビス（８２）等を手摺部材（８１）の表面から斜めに打ち込んでいるため、ビス（８２）の頭部が露出してしまい、意匠性に問題があった。また、露出したビス（８２）の頭部は、手摺に対する「手触り感」の点でも好ましいものではなかった。
【０００５】
このため、ビス穴に、ビス頭を埋没させるための切欠部を設け、ビス固定後にこの切欠部にキャップを埋め込むことによって、意匠性および手触り感を向上させた手摺が提案されている（特許文献１）。
【０００６】
一方、歩行の補助や休息時の肘掛けに加え、夜間あるいは消灯時での歩行をさらに安全に行うことこを可能とするため、照明措置を下部に備えた手摺も提案されている（たとえば、特許文献２）。
【０００７】
【特許文献１】
特開平１０−２３１６０２号公報
【特許文献２】
特開２００１−１０７５３１号公報
【０００８】
【発明が解決しようとする課題】
特許文献１に開示されているようなビス頭被覆キャップを埋め込む方式の場合には、ビスの使用本数と同数の切欠加工やキャップの埋め込み作業を必要とした。
【０００９】
また、図５に例示した手摺や、特許文献１に開示されている手摺の場合には、手摺部材（７１）を単体として壁面に直接固定しているため、壁面からの手摺の出幅は手摺部材（７１）の長さに依存しており、設置場所やその目的等に応じて任意のその出幅を変更して手摺を取り付けることは不可能であった。
【００１０】
さらにまた、照明装置を備えた手摺（たとえば、特許文献２）の場合には、照明装置のための電気配線を壁内に事前に施工する必要があり、作業性の点で好ましいものではなかった。
【００１１】
この出願の発明は、以上のとおりの事情に鑑みてなされたものであって、固定具であるビス等を外観上に露出させることなく、簡便かつ強固に固定可能な手摺構造を提供することを第１の課題としている。
【００１２】
またこの出願の発明は、設置場所や目的等に応じて、壁面からの出幅寸法を変更可能な手摺構造を提供することを第２の課題としている。
【００１３】
さらにこの出願の発明は、照明装置等を手摺に配設する場合に、その電気配線の施工を容易に行うことを可能とする手摺構造を提供することを第３の課題としている。
【００１４】
【課題を解決するための手段】
この出願の発明は、上記の第１の課題を解決するための第１の発明として、垂直部と突出部とからなる断面Ｌ字型の台座部材の垂直部が固定具Ａによって壁面に固定され、この固定具Ａを被覆する手摺部材が、台座部材突出部の下方から刺入された固定具Ｂによって台座部材突出部に固定されていることを特徴とする手摺構造を提供する。
【００１５】
またこの出願の発明は、上記の第２の課題を解決するための第２の発明として、上記第１発明の手摺構造に加えて、その台座部材の垂直部前面の切欠部に、手摺部材の終端部が嵌入している手摺構造を提供する。
【００１６】
さらにこの出願の発明は、上記の第３の課題を解決するための第３の発明として、上記第１発明および／または第２発明の手摺構造に加えて、台座部材の突起部上面と、この突起部上面に対する手摺部材の当接面のいずれか一方または両方に切欠溝を有する手摺構造を提供する。
【００１７】
【発明の実施の形態】
この出願の各発明は上記のとおりの特徴をもつものであるが、その実施の形態を、添付した図面に沿って詳しく説明する。
【００１８】
図１は、この出願の第１発明の一実施例を示した手摺構造の斜視図である。
【００１９】
この図１に例示したように、この発明の手摺構造では、手摺は台座部材（１０）と、この台座部材（１０）に取り付け固定される手摺部材（２０）によって構成される。
【００２０】
台座部材（１０）は、垂直部（１１）と、この垂直部（１１）の下端から水平方向に延設する突出部（１２）からなる断面Ｌ字型の形状を有している。この台座部材（１０）は、垂直部（１１）の裏面を壁面（３０）に当接させ、垂直部（１１）の前面（１１１）から刺入したビス等の固定具Ａ（４１）によって壁面（３０）に固定される。垂直部（１１）には、固定具Ａ（４１）の貫通穴を設けるようにしてもよい。
【００２１】
手摺部材（２０）は、台座部材（１０）との組み合わせ固定によって手摺の取っ手部分を形成する。たとえば、この手摺部材（２０）は、図１に例示したように、水平板部（２１）と、この水平板部（２１）の前端部に形成された膨大部（２２）とからなり、下方の切欠形状が、台座部材突出部（１２）の上面（１２１）および前端面（１２２）と一致するようになっている。また、手摺部材水平板部（２１）の終端面（２１１）は、台座部材垂直部の前面（１１１）に当接し、固定具Ａ（４１）を被覆する。そして、このように両者を組み合わせた状態で、台座部材突出部（１２）の下方から刺入した固定具Ｂ（４２）により手摺部材水平板部（２１）と台座部材突出部（１２）とが固定される。固定具Ｂ（４２）は、台座部材突出部（１２）に事前形成した貫通穴を介して刺入するようにしてもよい。
【００２２】
以上の構成により、この発明の手摺構造では、手摺を強固に壁面固定することができ、しかもこの手摺を壁面に固定する固定具Ａ（４１）は、手摺部材（２０）によってその存在が完全に被覆される。また固定具Ｂ（４２）は、利用者の目に触れることのない箇所（手摺下面）に位置する。このため、外観意匠性は極めて良好である。また、固定具Ａ（４１）およびＢ（４２）とも使用者の手に触れることはないため、手触り感も極めて良好となる。
【００２３】
図２は、この出願の第２発明の一実施例を示した手摺構造の分解斜視図である。
【００２４】
この図２に示した例では、台座部材垂直部（１１）の前面（１１１）に切欠部（１３）が形成されており、この切欠部（１３）に、手摺部材水平板部（２１）の終端部（２１１）が嵌入されるようになっている。従って、図３に例示したように、終端部（２１１）の嵌入寸法を、切欠部（１３）の奥行き寸法の範囲内で変更することによって、手摺部材（１０）の出幅を図中矢印で示した方向に調節することが可能となっている。これによって、手摺の使用者や取り付け場所の環境、状況等に適した手摺構造が簡便に施工可能となる。また、この図２および３に例示したように、手摺部材（１０）の膨大部（２２）の下端部が台座部材突出部（１２）の先端裏側にまで当接することによって、台座部材突出部（１２）の先端と、手摺部材膨大部（２２）の裏側に空間（５０）が生じた場合も、これを被覆して外観意匠性や手触り感を良好なものとすることもできる。
【００２５】
図４は、この出願の第３発明の一実施例を示した側面図である。
【００２６】
この図４に例示した手摺構造の場合には、台座部材突起部上面（１２１）と、手摺部材水平板部下面（２１２）の双方に設けられた切欠溝によって中空部（６０）が形成されており、この手摺構造に照明装置等を設置する場合の電気配線を通線するための手段としてこの中空部（６０）を利用することができる。なお、台座部材突起部上面（１２１）と、手摺部材水平板部下面（２１２）のいずれか一方の切欠溝によって中空部（６０）を形成してもよい。電気配線の本数や太さ等に応じて適宜とすることができる。また、この図４に示した例では、台座部材突起部（１２）の底面に照明装置（７０）を内蔵している。照明装置（７０）と電気配線との接続は、例えば台座部材突起部（１２）の適当な箇所に貫通孔を設け、これを介して行うことができる。さらに、この手摺構造においては、照明装置（７０）だけでなく、例えば、室内灯などのスイッチ類や、あるいは病院等における緊急時連絡ブザーのスイッチ等を設けるようにしてもよく、これらの電気信号を通信する配線も手摺内の中空部（６０）に配線することができる。
【００２７】
なお、上記のよう台座部材（１０）と手摺部材（３０）との各当接面には、ゴム材や樹脂等の摩擦係数の大きな材質からなるシート材を貼付することによって、両者のずれ等を防止することもできる。
【００２８】
また、台座部材（１０）および手摺部材（２０）は、それぞれ同一または部個に、例えば木質材、樹脂材、金属類等の成型加工品を使用することができる。固着具Ａ（４１）およびＢ（４２）も、それぞれ同一または別個にビス、ネジ、釘等から任意に選択して使用することができる。
【００２９】
もちろん、この出願の発明は以上の例によって限定されるものではなく、細部については様々な態様が可能であることはいうまでもない。
【００３０】
【発明の効果】
以上詳しく説明したとおり、この出願の発明によって、固定具を外観上に露出させることなく、簡便かつ強固に固定可能な外観意匠性に優れた手摺構造が提供される。さらにこの出願の発明によって、壁面からの出幅寸法を変更可能とする利便性に優れた手摺構造が提供される。さらにまた、照明装置等を手摺に配設する場合に、その電気配線の施工を容易に行うことのできる手摺構造が提供される。
【図面の簡単な説明】
【図１】この出願の発明の一実施形態を例示した断面斜視図である。
【図２】この出願の発明の別の実施形態を例示した分解斜視図である。
【図３】図２の実施形態を例示した断面斜視図である。
【図４】この出願の発明の別の実施形態を例示した側面図である。
【図５】従来の手摺を例示した斜視図である。
【符号の説明】
１０  台座部材
１１  垂直部
１１１    垂直部前面
１２  突出部
１２１    突出部上面
１２２    突出部前面
１３  切欠部
２０  手摺部材
２１  水平板
２１１    終端部
２１２    水平板部下面
２２  膨大部
３０  壁面
４１  固定具Ａ
４２  固定具Ｂ
５０  空間
６０  中空部
７０  照明装置
８０  手摺
８１  手摺部材
８２  ビス
【図１】
2004285788.tif 000003
【図２】
2004285788.tif 000004
【図３】
2004285788.tif 000005
【図４】
2004285788.tif 000006
【図５】
2004285788.tif 000007